(57)【特許請求の範囲】
【請求項１】
相手コネクタへ嵌合されるケーブル側電気コネクタであって、該ケーブル側コネクタに接続されるケーブルがコネクタ嵌合方向に対して直角方向に延出し、相手コネクタとの嵌合ロック及びロック解除を行なうロックレバーを有するケーブル側電気コネクタにおいて、ロックレバーは、ハウジングの側面に沿って延びて可撓性を有する腕状をなし、ハウジングで支持された被支持端部からコネクタ嵌合方向に対して直角方向となる横方向に延びる横腕部と、該横腕部からコネクタ嵌合方向へ変向して縦方向に延びる縦腕部とを有し、該縦腕部の自由端側に相手コネクタと係止するロック部が設けられ、横腕部と縦腕部との連接部もしくは、横腕部、もしくは、該連接部あるいは縦腕部から上記被支持端部に対して反対側へ延長された延長部に、ロック解除に向け圧せられて変位する被圧部が設けられていることを特徴とするケーブル側電気コネクタ。
【請求項２】
ロックレバーはハウジングとの一体成形により設けられていることとする請求項１に記載のケーブル側電気コネクタ。
【請求項３】
ロック部はハウジングの側面に対し反対側に突出するロック爪であり、被圧部はハウジングの側面に対し反対側の面に形成され該側面に向け圧せられる押釦部であることとする請求項１に記載のケーブル側電気コネクタ。
【請求項４】
ハウジングは、外面にシールド用の金属シェルが取り付けられており、該金属シェルの一部が、ハウジングの側面に対して反対側となる外側位置で、該ロックレバーに近接配置されていることとする請求項１ないし請求項３のうちの一つに記載のケーブル側電気コネクタ。
【請求項５】
金属シェルの一部はロックレバーの縦腕部の一部に対して外側位置に配置されていることとする請求項４に記載のケーブル側電気コネクタ。
【請求項６】
ロックレバーはロック部としてハウジングの側面に対し反対側に突出するロック爪を有し、ハウジングの側面に対して反対側となる外側位置でロックレバーに近接配置されている金属シェルの一部は上記ロック爪の突出範囲に設けられていることとする請求項４に記載のケーブル側電気コネクタ。
【請求項７】
金属シェルは、相手コネクタへの嵌合側とは反対側の上面を覆う上面部を有し、該上面部はロックレバーの少なくとも一部の上面側をも覆っていることとする請求項４ないし請求項６のうちの一つに記載のケーブル側電気コネクタ。
【発明の詳細な説明】
【技術分野】
【０００１】
本発明は、ケーブル側電気コネクタに関し、特に、回路基板に取り付けられる相手コネクタへ該回路基板の面に対し直角な方向から嵌合され、結線されたケーブルが回路基板の面に平行に延出している電気コネクタに関する。
【背景技術】
【０００２】
この種のコネクタとしては、特許文献１に開示されているものが知られている。この公知のコネクタは、回路基板への取付けの面とは反対側の上面を覆ってシールドを行なう金属シェルが取り付けられている。該金属シェルはコネクタの側面の側へも屈曲されていて、該側面と平行で回路基板の面の方へ延びる脚状の係止片を有し、この係止片は相手コネクタとのロック係止を行なう突起が該係止片の延出方向先端位置に設けられている（特許文献１、図１参照）。
【特許文献１】特開２００６−２４４７３２
【発明の開示】
【発明が解決しようとする課題】
【０００３】
回路基板へ取り付けられるこの種のコネクタは、この回路基板を実装する電子機器の小型化を目的として、低背化、すなわち回路基板の面に対して直角方向での高さ寸法を小さくすることが求められる。そのために、このコネクタに結線されるケーブルも、回路基板に平行な方向に延出していてコネクタの高さ寸法内に収められる。したがって、特許文献１のコネクタも、低背化を求められることとなるが、コネクタの嵌合がコネクタの高さ方向でなされる関係上、この方向に延びその先端側に突起を有することとしている上記係止片はコネクタの高さ範囲を最大長として延びることしかできず、その結果、該係止片は十分な長さを確保できずに先端での撓み変位量が小さいものとなってしまう。これは、相手コネクタとのロック係止のための十分な弾性を得られないことにつながる。ましてや、十分な長さでない上記係止片は金属シェルの一部で作られているので、比較的剛性が高く、さらに弾性の確保を難しくしている。
【０００４】
本発明は、低背化コネクタであっても、ロック係止のためのロック部での変位量を十分に確保のできる、ケーブル側コネクタを提供することを課題とする。
【課題を解決するための手段】
【０００５】
本発明に係るケーブル側電気コネクタは、該ケーブル側コネクタに接続されるケーブルが相手コネクタとのコネクタ嵌合方向に対して直角方向に延出し、相手コネクタとの嵌合ロック及びロック解除を行なうロックレバーを有する。
【０００６】
かかるケーブル側電気コネクタにおいて、本発明では、ロックレバーは、ハウジングの側面に沿って延びて可撓性を有する腕状をなし、ハウジングで支持された被支持端部から相手コネクタとのコネクタ嵌合方向に対して直角方向となる横方向に延びる横腕部と、該横腕部からコネクタ嵌合方向へ変向して縦方向に延びる縦腕部とを有し、該縦腕部の自由端側に相手コネクタと係止するロック部が設けられ、横腕部と縦腕部との連接部もしくは、横腕部、もしくは、該連接部あるいは縦腕部から上記被支持端部に対して反対側へ延長された延長部に、ロック解除に向け圧せられて変位する被圧部が設けられていることを特徴としている。
【０００７】
このような構成の本発明によると、ロックレバーは横腕部とこの横腕部から延びる縦腕部とを有しており、相手コネクタとの嵌合ロック時には、該ロックレバーは横腕部が撓みさらにその先で縦腕部が撓む。該縦腕部の自由端側に設けられたロック部の位置では、横腕部の撓みと縦腕部の撓みが重畳した量だけ変位することとなり、したがって、ロック部での変位が大きく、ロック部のための変位量が十分確保される。低背化を要求されるコネクタでは、縦腕部は短いが、横腕部の長さは比較的大きく確保できる。例えば、相手コネクタが回路基板に取付けられていて、本発明のコネクタが回路基板に対して直角方向に相手コネクタに嵌合されるとき、回路基板の面に平行となる方向では、本発明のコネクタには比較的寸法な余裕があり、この方向に延びる横腕部も長くできる。その結果、両腕部の撓みが重畳されるので、上記ロック部での変位が十分に確保できる。
【０００８】
本発明のコネクタにおいて、ロック解除は、コネクタを摘むようにして被圧部を押圧してロックレバーを撓ませることによりなされる。
【０００９】
本発明において、ロックレバーはハウジングとの一体成形により設けられているようにすることができる。こうすることにより、ロックレバーを別途作らなくともよいので部品点数を減ずる。しかし、必要に応じロックレバーを金属板等で別途作ってハウジングに取り付けるようにすることも、勿論可能である。
【００１０】
本発明において、具体例として、ロック部はハウジングの側面に対し反対側に突出するロック爪であり、被圧部はハウジングの側面に対し反対側の面に形成され該側面に向け圧せられる押釦部とすることができる。
【００１１】
本発明において、好ましくは、ハウジングは、外面にシールド用の金属シェルが取り付けられており、該金属シェルの一部が、ハウジングの側面に対して反対側となる外側位置で、該ロックレバーに近接配置されている。こうすることにより、コネクタは金属シェルで覆われてシールド特性をもつようになる。しかも、ロックレバーが金属シェルの一部により外側から保護されており、該ロックレバーが外側方向に不用意に大きな力を受けても、その変位は上記金属シェルの一部により規制される。なお、内側方向にはハウジング側面が位置しているので、その方向には、もともとハウジングが側面により規制されている。
【００１２】
上記金属シェルの一部はロックレバーの縦腕部の一部に対して外側位置に配置されていることが望まれる。上記金属シェルの一部がロックレバーの縦腕部の外側に位置しているだけでも、ロックレバーは十分保護される。その理由は、ロックレバーが延びる範囲において、縦腕部が一番大きく変位するので、この縦腕部で変位の規制を受けていれば十分保護されることとなる。
【００１３】
本発明において、ロックレバーがロック部としてハウジングの側面に対し反対側に突出するロック爪を有している場合、ハウジングの側面に対して反対側となる外側位置でロックレバーに近接配置されている金属シェルの一部は上記ロック爪の突出範囲に設けられていることが望ましい。こうすることによりコネクタ全体としての両側面間の幅寸法が、金属シェルを設けたことにより大きくなるということはなくなる。
【００１４】
本発明において、金属シェルは、相手コネクタへの嵌合側とは反対側の上面を覆う上面部を有し、該上面部はロックレバーの少なくとも一部の上面側をも覆っているようにすることもできる。こうすることにより、ロックレバーは上方への不用意な力を受けたときも、その方向での変位を規制され保護されることとなる。
【発明の効果】
【００１５】
以上のように、本発明は、先端側にロック部を備えるロックレバーが横腕部と縦腕部とを有することとしたので、コネクタの寸法にあまり制限のない横方向、例えば相手コネクタが回路基板に取り付けられていて本発明のコネクタがこの回路基板に対して直角方向で相手コネクタと嵌合する場合、回路基板の面と平行な方向で上記横腕部を十分に長いものとすることができ、コネクタの高さ寸法が小さくて上記縦腕部が短くとも、ロックレバーの全長としては長くなり、ロック時の上記ロック部の変位量は大きく確保されてロックが容易かつ確実となる。しかも、ロックレバーはハウジングと一体に成形できるので、別部材とする必要がなく部品点数が増えることもない。
【発明を実施するための最良の形態】
【００１６】
以下、添付図面にもとづき、本発明の一実施形態を説明する。
【００１７】
図１は、本実施形態のコネクタ１０と相手コネクタ６０とを、嵌合前の状態で、下方から見たときの全体斜視図である。この図では、相手コネクタ６０の底面側に取り付けられる回路基板の図示は省略されている。
【００１８】
相手コネクタ６０は底面に複数の端子のＬ字状接続部６１が延出していて、該相手コネクタ６０が回路基板（図示せず）上に配置されたとき、この接続部６１が回路基板の対応回路部と半田接続される。この相手コネクタ６０は、上記端子を保持するハウジング６２の周面にシールド用の金属シェル６３が取り付けられており、該金属シェル６３の下端からＬ字状の固定脚６４が延出していて、上記回路基板に半田により固定される。かかる相手コネクタ６０は上方に開口された受入凹部（図示せず）が形成されており、上方から本実施形態のコネクタ１０の嵌合部を受け入れるようになっている。
【００１９】
本実施形態のコネクタ１０は、上記相手コネクタ６０の受入凹部へ嵌合される嵌合部１２が下方に突出するハウジング１１と、該ハウジング１１により保持されている端子２０と、該ハウジング１１の上面、下面そして周面を覆うようにして該ハウジング１１に取り付けられているシールド用の金属シェル（上部シェル３０そして下部シェル４０）とを有している。
【００２０】
次に、本実施形態のコネクタ１０について、ハウジング１１、端子２０、そして金属シェル３０の順に説明する。図２及び図３は、端子２０が取り付けられるべきハウジング（端子は未取付け）１１と金属シェルとが分離された状態の斜視図で、図２が上方からそして図３が下方から見た図である。図４は図２における金属シェルの取付前のハウジング（端子は未取付）の平面図、図５はハウジングに端子が取り付けられさらにこれに金属シェルが取り付けられたコネクタについての端子配列方向中央部での縦断面図である。
【００２１】
電気絶縁材をモールド成形して作られているハウジング１１は、図２及び図３に見られるように、本体部１２とロックレバー１３とを一体に有している。本体部１２は、図５に示されるように、主として、端子２０を支持する基部１４と、該端子に接続されるケーブルを載置する面を形成して該基部１４から前方（図にて矢印Ａ方向）に延びる平板状の延出部１５と、上記基部１４の後縁で上記基部１４から下方に垂下する嵌合部１７とを有している。又、上記本体部１２は、端子配列方向の両端部で前後方向に延び上方へ突出する側壁部１８をも有している（図２参照）。
【００２２】
上記基部１４の上面には、端子配列方向に延び上方に突出する突条部１４Ａが形成され（図２及び図５参照）、該突条部１４Ａの前面そして上面にわたり端子２０を定位置に収める複数の溝部１４Ｂが配列形成されている。上記突条部１４Ａよりも後方側には、端子配列方向で上記溝部１４Ｂに対応する位置で、上記基部１４を上下方向に貫通する端子孔１４Ｃが形成されている。
【００２３】
上記嵌合部１７は、外周面が相手コネクタ６０の受入凹部に受け入れられる嵌合面を形成しているが、該嵌合部１７には下方に開口する中空部１７Ａが形成されていて（図５参照）、相手コネクタ６０の受入凹部内に突出形成される突部（図示せず）が該中空部１７Ａに進入するようになっている。該中空部１７Ａの後方側内面には、上記端子孔１４Ｃに連通する端子溝１７Ｂが形成されている。上記嵌合部１７の下面は、端子配列方向両端で下方へテーパ状に突入する被導入部１７Ｃが形成されていて、相手コネクタの受入凹部への導入が容易になされるようになっている。
【００２４】
上記延出部１５は、端子に接続されるべきケーブル、例えばフラットコネクタを載置支持する面を上面に形成し、該延出部１５には端子配列方向に二つの窓部１５Ａが形成されている。この窓部１５Ａは、後述する金属シェルの接地用の弾性舌片が該延出部の下方から上方へ向け進入かつ突出する空間を提供する。上記延出部１５の前縁は丸みをもった導入部１５Ｂが形成されている。
【００２５】
ハウジング１１の本体部１２の側壁部１８は、側面にＬ字状の逃げ溝１９が形成されている。該逃げ溝１９は前後に延びる横溝部１９Ａと該横溝部１９Ａの後部側で該横溝部１９Ａと連通して下方に延びる縦溝部１９Ｂとを有している。この逃げ溝部１９は、後述のロックレバーの一部を収容する空間として機能する。
【００２６】
上記両方の側壁部１８の前端上部の側面側にはロックレバー１３の被支持端１３Ａが本体部１２と連結されていて該ロックレバー１３が後方に延びるように設けられている。該ロックレバー１３は、上記横溝部１９Ａに沿って後方へ延びる横腕部１３Ｂと、縦溝部１９Ｂに沿って該横腕部１３Ｂの後端部位置から下方に延びる縦腕部１３Ｃと、横腕部１３Ｂと縦腕部１３Ｃの連接部１３Ｅ（図６参照）から側方（図２にて矢印Ｂ方向）へ突出した押釦部として形成された被圧部１３Ｄとを有している。該被圧部１３Ｄは連接部１３Ｅに対して後方へも延びていて延長部を形成している。上記縦腕部１３Ｃの下端には側方へ突出するロック部としてのロック爪１３Ｃ−１が設けられている。かかるロックレバー１３は、被支持端部１３Ａを支点として横腕部１３Ｂが側方へ可撓性を有していると共に、縦腕部１３Ｃは横腕部１３Ｂとの連接部１３Ｅを支点として側方へ可撓性を有している。したがって、ロックレバー１３としては横腕部１３Ｂと縦腕部１３Ｃの長さの和を腕長として側方へ撓むことが可能となっている。換言すれば、相手コネクタとの嵌合時に、ロック爪１３Ｃ−１が図２にて矢印Ｂと逆方向の力を相手コネクタから受けた際のロック爪１３Ｃ−１における弾性変位量は、横腕部１３Ｂの後端部での撓み量に、該横腕部１３Ｂに対する縦腕部１３Ｃの下端での撓み量が重畳された値の撓み変位量となる。
【００２７】
上記ハウジング１１の後壁部１６の後面の上部位置と、ロックレバー１３の被支持端部１３Ａの前面の上部位置とには、後述の金属シェルの上部シェル３０との係止のための係止爪１６Ａと係止爪１８Ａとがそれぞれ設けられている。さらに、上記後壁部１６の後面の下部位置と上記側壁部１８の前面の下部位置には、金属シェルの下部シェル４０との係合のための係止爪１８Ｂ（後壁部の後面における係止爪は図示されず）がそれぞれ設けられている。
【００２８】
端子２０は、金属細条片を屈曲して作られており、図５に見られるように、前方に延びる水平部２１と、これに対して直角方向で下方に延びる垂下部２２と、水平部２１と垂下部２２との間で逆Ｕ字状に屈曲されて上方にもち上がっている被固定部２３とを有している。かかる端子２０は、ハウジング１１の基部１４に形成された各端子孔１４Ｃへ上記垂下部２２から挿入される。所定位置まで挿入されると、逆Ｕ字状の被固定部２３は突条部１４Ａの溝部１４Ｂに収まり、水平部２１は延出部１５の上面に位置するようになる。この水平部２１はケーブルに対する結線部として使用される。端子孔１４Ｃへ挿入された垂下部２２は該端子孔１４Ｃを貫通し、該垂下部２２の下半部は嵌合部１７の端子溝１７Ｂに収められ、該嵌合部１７に形成されている中空部１７Ａの空間に露呈する。
【００２９】
上部シェル３０は、金属板から作られており、例えば、打抜きそして屈曲加工を受けて形状づけられている。該上部シェル３０は、大きく区分して、上板部３１と、後板部３２と、前板部３３と、側板部３４とを有している。上板部３１は、ハウジング１１の上面を殆んど覆っており、ハウジング１１の延出部１５前部の前方半部に対応する部分が没入部３１Ａを形成している。上記上板部３１には、強度向上のために、部分的なエンボス加工を施した補強部３１Ｂが形成されている。上記没入部３１Ａは下方に段状をなして没入しており、前縁には上方に丸められた導入部３１Ａ−１が複数位置に形成されている。該導入部３１Ａ−１は、ハウジング１１の延出部１５の導入部１５Ｂと相俟って、ケーブルの導入を容易としている。又、上記上部シェル３０の上板部３１はその側縁がハウジング１１のロックレバー１３の被圧部１３Ｄ以外で該ロックレバー１３に近接して上方から覆うように形状づけられている。
【００３０】
上部シェル３０の後板部３２は、上板部３１の後縁から屈曲されて垂下しており、スリット３２Ａにより弾性片３２Ｂが形成され、各弾性片３２Ｂに係止孔３２Ｂ−１が形成されている（図３参照）。該係止孔３２Ｂ−１はハウジングの係止爪１６Ａと係止し合う。又、上部シェル３０の前板部３３は、上記端子配列方向で、上記ハウジング１１の係止爪１８Ａに対応する位置に係止孔３３Ａが形成された弾性片３３として上記上板部の前縁から垂下して形成されてる。この係止孔３３Ａはこの係止爪１８と係止し合う。
【００３１】
上部シェル３１の側板部３４は、上板部３１の側縁前部で屈曲して垂下形成されており、ロックレバー１３の横腕部１３Ｂの被支持端部１３Ａ寄り部分の外側側面に近接して対面している。
【００３２】
下部シェル４０は、上部シェルと同様に金属板から作られており、底板部４１と、その周辺から立ち上がる、後板部４２、前板部４３、側板部４４を有している。上記底板部４１には、後部側で大きな開口部４１Ａが形成されている。この開口部４１Ａにはハウジング１１の嵌合部１７が貫通する。該開口部４１Ａの後縁側からは、上記開口部４１Ａの形成時に、下方に屈曲形成された下後板部４１Ｂが垂下している。この下後板部４１Ｂは上記ハウジング１１の嵌合部１７の後面に接面する位置にある。上記後板部４２は、スリット４２Ａにより、三つ部分に分けられていて、両側の部分が弾性片４２Ｂとして形成され、該弾性片４２Ｂに係止孔４２Ｂ−１が設けられている。この係止孔４２Ｂ−１はハウジングの対応係止爪（図示せず）と係止し合う。上記底板部４１には、上記開口部４１Ａよりも前方部分に二つの窓部４１Ｃが端子配列方向に並んで形成されており、各窓部４１Ｃの前縁からは弾性舌片４１Ｄが切り起されて上後方に延びている。窓部４１Ｃは、下部シェル４０がハウジング１１に取り付けられたときに、ハウジング１１の延出部１５に形成された窓部１５Ａと合致する位置に形成されていて、上記弾性舌片４１Ｄが上記窓部１５Ａを貫通して上方へ突出し、端子へ結線されたケーブルのグラント部に接面するようになっている。
【００３３】
前板部４３は、底板部４１の前縁にて上記窓部４１Ｃの両側で上方に屈曲された弾性片４３として形成されていて、この弾性片４３には係止孔４３Ａが設けられている。この係止孔４３Ａは、ハウジング１１の前面下部に設けられている係止爪１８Ｂと係止する。
【００３４】
側板部４４は、後部側上部が切り落とされた形をしていて、後部４４Ｂの上縁が前部４４Ａの上縁よりも段状に低くなっている。かかる側板部４４を有する下部シェル４０がハウジング１１に下方から取り付けられると、上記側板部４４の前部４４Ａがロックレバー１３の横腕部１３Ｂの外側面に近接し、後部４４Ｂが該横腕部１３Ｂよりも下方で縦腕部１３Ｃの上部の外側面と近接するように位置する。かかる後部４４Ｂは、側方向すなわちロック爪１３Ｃ−１の突出方向において、該ロック爪１３Ｃ−１の突出範囲に位置していて、後部４４Ｂの存在によって上記側方向でのコネクタの大型化という問題は生じない。
【００３５】
このような構成の本実施形態のコネクタは、次の要領で組み立てられ、使用される。
【００３６】
＜組立て要領＞  
先ず、端子２０が取り付けられているハウジング１１に対し、フラットケーブルＦ等のケーブルを、図５にて二点鎖線で示されるごとく結線する。該フラットケーブルＦの各ケーブルはそれらの先端で芯線が露出しており、対応する端子２０の結線部たる水平部２１と半田により結線される。上記フラットケーブルＦは上記露出芯線よりも前方位置にグランド部Ｆ１を有しており、このグランド部Ｆ１は、下部シェルの取付後に、下部シェル４０の弾性舌片４１Ｄと接触し下部シェル４０と導通がなされるようになる。このフラットケーブルは、上部シェル３０とハウジング１１の延出部１５との間の空間を経て前方へ延出する。次に、このフラットケーブルＦの結線後、上部シェル３０を上方から取り付ける。上部シェル３０の前板部３３の係止孔３３Ａと後板部３２の係止孔３２Ｂ−１がハウジング１１の対応係止爪１８Ａと係止爪１６Ａにそれぞれ係止し、上部シェル３０はハウジング１１に固定される。
【００３７】
次に、上部シェル３０が取り付けられているハウジング１１に対し、下部シェル４０を取り付ける。下部シェル４０の前板部４３の係止孔４３Ａと後板部４２の係止孔４２Ｂ−１がハウジングの対応係止爪１８Ｂそして図示せぬ係止爪にそれぞれ係止し、下部シェル４０はハウジング１１に固定される。その際、下部シェル４０の前板部４３は上部シェルの前板部３３の内側に位置して一部が重複し接触して互いに導通しており、下部シェル４０の後板部４２が上部シェル３０の側板部３４の内側に位置して一部が重複し接触して互いに導通している。また、下部シェル４０の組立時には、該下部シェル４０の側板部４４の後部４４Ｂがロックレバー１３のロック爪１３Ｃ−１を乗り越えて該ロックレバー１３の上部に接面して位置するようになる。その際、ロックレバー１３の被圧部１３Ｄを押してロック爪１３Ｃ−１をハウジングの側面側に向けて変位させておいて、上記後部４４Ｂが該ロック爪１３Ｃ−１と干渉しないようにして、下部シェル４０の組立を楽に行なえることが望ましい。
【００３８】
かくして、端子２０が取り付けられているハウジング１１への上記シェル３０そして下部シェルが取り付けられて、本実施形態のコネクタを得る。
【００３９】
＜使用要領＞
（１）回路基板（図示せず）に取り付けられている相手コネクタ６０に対し、本実施形態のコネクタ１０を、図１のごとく、上方からすなわち、回路基板に対して直角方向に嵌合させる。コネクタ１０の嵌合部１２が相手コネクタ６０の受入凹部に進入して上記嵌合がなされるが、その嵌合過程において、コネクタ１０のロックレバー１３の下端に側方に突出して設けられたロック爪１３Ｃ−１は、相手コネクタから押圧力を受けて、ハウジング１１の側面の方へ弾性変位する。この弾性変位は、ロックレバー１３の横腕部１３Ｂと縦腕部１３Ｃのそれぞれの弾性撓みの重畳により、容易に得られる。かくして、嵌合が所定位置まで進むと、相手コネクタからの押圧力が解除されて、対応ロック部とのロックがなされ、コネクタの抜け防止が確実に行なわれる。
【００４０】
（２）次に、コネクタ１０を相手コネクタ６０から抜出するときには、両ロックレバー１３の押釦部たる被圧部１３Ｄの側面をハウジング１１の側面に近づく方向に圧するようにして、指でコネクタを摘む。被圧部１３Ｄがハウジング側面の方向に圧せられると横腕部１３Ｂはその方向に弾性撓みを生じ、したがって、縦腕部１３Ｃは横腕部１３Ｂの後端での変位量と同じだけ変位する。その結果、縦腕部１３Ｃの下端のロック爪１３Ｃ−１は、相手コネクタの対応ロック部から外れ、コネクタ１０は上方へ抜出可能となる。
【００４１】
（３）ロックレバー１３は、コネクタ１０の取扱い時、特に相手コネクタへの嵌合前の状態で、正規の方向以外に外力を受けることがある。例えば、図２において、コネクタ１３がハウジング１１の側面から離れる矢印Ｂ方向、あるいは上方向に不用意な力を受けることがあり、従来、これらの方向にはストッパがないために、ロックレバーは外力の大きさに従って変形して破損してしまうことさえあった。本実施形態では、ハウジング１１にしっかりと取り付けられている下部シェル４０の側板部４４の前部４４Ａがロックレバー１３の横腕部１３Ｂの外側面、そして後部４４Ｂが縦腕部１３Ｃの上部外側面に近接して対面しているので、ロックレバー１３が不用意に外側方に力を受けても、上記側板部４４の前部４４Ａそして後部４４Ｂがストッパとして機能し、ロックレバー１３の同方向での変形を阻止する。又、上部シェル３０の上板部３１の側縁がロックレバー１３の上面の一部を覆っているので、ロックレバー１３が不用意の上方に力を受けても、この上板部３１の側縁により、ロックレバー１３の上方への変形は阻止される。
【００４２】
このように、本発明では、ロックレバーは、縦腕部が短くとも、比較的長く設定できる横腕部により縦腕部のロック部における弾性変位量を大きく確保できるので、ケーブルが横方向に延出していて低背化が求められるコネクタであっても、楽にしかも確実にロックがなされる。
【００４３】
本発明は、図示された実施形態に限定されず、種々変更が可能である。例えば、ロックレバーに設けられたロック部は突出したロック爪ではなく、相手コネクタが突出部を有していて、それに係止する孔部や溝部として形成されてもよい。又、ロック解除のための被圧部が設けられる延長部は、横腕部と縦腕部との連接部から延長せずとも、縦腕部から延長して設けてもよいし、又、被圧部は延長部に設けずとも、横腕部あるいは連接部に位置して設けられてもよい。
【図面の簡単な説明】
【００４４】
【図１】本発明の一実施形態としてのコネクタと相手コネクタとを嵌合前の状態で示す、下方から見た斜視図である。
【図２】図１の本実施形態のコネクタを、ハウジング（端子未取付）への金属シェルの取付前の状態で示す、上方から見た斜視図である。
【図３】図１の本実施形態のコネクタを、ハウジング（端子未取付）への金属シェルの取付前の状態で示す、下方から見た斜視図である。
【図４】図１の本実施形態のコネクタのハウジング（端子未取付）の平面図である。
【図５】図１の本実施形態のコネクタの端子配列方向中央位置での縦断面図である。
【図６】図２のハウジングについて、ロックレバーの一部を破断して示す、上方から見た斜視図である。
【符号の説明】
【００４５】
１０  コネクタ                      １３Ｃ−１  ロック部（ロック爪）
１１  ハウジング                    １３Ｄ  被圧部（押釦部）
１３  ロックレバー                  １３Ｅ  連接部
１３Ａ  被支持端部                  ３０  金属シェル（上部シェル）
１３Ｂ  横腕部                      ４０  金属シェル（下部シェル）
１３Ｃ  縦腕部
【図１】
0004954863.tif 000002
【図２】
0004954863.tif 000003
【図３】
0004954863.tif 000004
【図４】
0004954863.tif 000005
【図５】
0004954863.tif 000006
【図６】
0004954863.tif 000007